(57)【特許請求の範囲】
【請求項１】
光ケーブルをループ状に巻装して収容可能な光ケーブル収納部を備えた光ケーブル機器筐体において、
前記収容部の光ケーブル巻装用ガイド溝部の途中の少なくとも一箇所に、光ケーブルを繋ぐ接続具または光ケーブルに接続されるフィルタなどの付属部材を挟持可能に、直線状に延びるガイド溝部の片方のガイド壁よりバネ部材を相対向するガイド壁に向けて同ガイド壁に対し所定の間隔が空くように設けるとともに、
前記バネ部材との間で前記間隔が上側から下側に向けて段階的に狭まるように相対向する前記ガイド壁に対しリブを突設し、
前記バネ部材は、前記ガイド溝部の前後方向に沿って上方より見て略くの字状に片方の前記ガイド壁から一体に延設される一対の可撓性を有する樹脂製バネ片からなり、前後の前記各バネ片の先端部との間で間隔が上側から下側に向けて段階的に狭まるように相対向する前記ガイド壁に対しリブをそれぞれ直交させて突設するとともに、
前記バネ片に相対向するガイド壁が、前後方向に沿って断続的に立設された一対の板状壁からなり、前後の板状壁間に少なくとも１本の指が入る空所を設けていることを
特徴とする光ケーブル機器筐体の光ケーブル収容部。
【発明の詳細な説明】
【技術分野】
【０００１】
この発明は、光ファイバーケーブル（以下、光ケーブルという）によって映像信号などの受信や送信などを行う光ケーブル機器の筐体に関するもので、特に、光ケーブルを送受信機器やＯ／Ｅ変換器などと接続する際に余長部分や終端部分をループ状に巻装して収容する収容部において、光ケーブルを繋ぐ接続具や光ケーブルに接続されるフィルタなどの付属部材を挟持して保持する構造を備えた光ケーブル収容部（光ケーブルトレイ）に関する。
【背景技術】
【０００２】
この種の光ケーブル機器筐体では、光ケーブル同士の接合にメカニカルスプライスと称する接続具を用いたり、光ケーブルを突き合わせて溶着し、その溶着部の周囲を熱収縮性の保護チューブで被覆したりしているが、それらの接続具や保護チューブが多種多形で、しかも断面形状に角形と円形とがあり、大きさも２ｍｍ〜５ｍｍ前後と広範囲に及んでいる。また、通信用とＴＶ映像用とでは光信号の波長が異なることから、波長の異なる複数の信号から特定の信号を分波したり、逆に複数の信号を合成したりするためにＷＤＭ（Wavelength Division Multiplexing；波長分割多重）フィルタの装着が必要になり、光ケーブルの途中にそうしたフィルタを介設しているが、フィルタの断面形状も角形と円形とがあり、大きさも２．５ｍｍ〜５．５ｍｍあるいはそれ以上の製品もある。
【０００３】
したがって、光ケーブル収容部において、光ケーブルのガイド溝部の途中に、光ケーブルの接続具や保護チューブおよびフィルタなどの付属部材の断面形状や大きさに対応した保持構造を設けることが要望される。
【０００４】
また、従来の光ケーブル収容部においては、通常、光ケーブルの接続具にはメカニカルスプライスが使用され、また使用されるフィルタについても定形化され、大きさも限定されていることから、メカニカルスプライスあるいは特定のフィルタに対応した一定規格の保持構造を備えておけばよかった。
【０００５】
しかし、最近の光ケーブルの接続具やフィルタの多種多形状化に伴って、広範囲の大きさや形状の付属部材（例えば、直径２ｍｍ〜５．５ｍｍ）に対応する光ケーブル収容部を備えた光受信機が提案されている（例えば、特許文献１参照）。この光受信機の光ケーブル収容部には、基板上面から第１の所定間隔を隔てて対向配置するように突設した一対の係止片によって，第１のＷＤＭフィルタを着脱自在に挟着保持するための支持部を，第１の所定間隔における中心線上に所定の間隔を隔て２組配設した第１の支持部と，基板上面から第１の所定間隔より広い第２の所定間隔を隔てて対向配置するとともに，第１の支持部より基板上面から高く突設した一対の係止片によって，第２のＷＤＭフィルタを着脱自在に挟着保持するための支持部を，第２の所定間隔における中心線上に所定の間隔を隔て２組配設した第２の支持部とから成り，第１の支持部の中心線と第２の支持部の中心線とは同一線上にあり，第１のＷＤＭフィルタと第２のＷＤＭフィルタは，前記基板上に重合しないで配設する構造からなる。
【特許文献１】特開２００７−５７８０６号公報（２・３頁、６・７頁および図１・図１１）
【発明の開示】
【発明が解決しようとする課題】
【０００６】
上記の特許文献１に記載の光ケーブル収容部におけるフィルタホルダの構造については、以下のような点で改良すべき余地がある。すなわち、
光ケーブル収容部の基板上に中心線を挟んでフィルタを両側から挟持可能な一対の係止片を長手方向に間隔をあけて２組対向して突設し、それらの係止片の間隔よりも間隔が広く且つ高さを高くした一対の係止片を前記係止片と重合しないように前後にずらし、共通の中心線を挟んで２組対向して突設しているので、幅の狭いフィルタと幅の広いフィルタの２種類のフィルタについては挟持して保持できる。なお、フィルタはＴＶ信号や通信信号のうちから特定周波数の信号を除去するのに使用される。しかし、フィルタの種類が増えたり、光ケーブル接続具の保護チューブやメカニカルスプライスなどの接続具についても挟持して保持したり、あるいはフィルタや接続具の大きさ（特に幅寸法）が変更されたり、さらに挟持すべきフィルタ等の大きさが広範囲になったりすると、各係止片が樹脂製で可撓性を具備しているとしても、フィルタ等の各付属部材を両側から全体的に挟むように保持するため、許容範囲が小さい。したがって、各付属部材の大きさや形状に応じて一対の係止片について幅方向の間隔と高さとをそれぞれ変更する必要がある。また、構造上から光ケーブル収容部を成型するための既存の金型を簡単に変更して対応するのが困難であるため、金型を最初から設計して新しく作り直す必要があり、コストおよび手間がかかる。
【０００７】
本発明は上述の点に鑑みなされたもので、フィルタやメカニカルスプライスなどの付属部材の形状や大きさ（寸法）の変化に広範囲に対応でき、また多少の大きさ（寸法）の変更があってもそのまま対応でき、さらに付属部材の形状や大きさが大幅に変更された場合にも片方（リブ側）だけの変更で対応できるとともに、金型を変更する場合にも既存の金型の簡単な修正で対応でき、しかも付属部材を強固に挟持せずに定位置に安定して保持でき、構造が簡単で製造が容易な光ケーブル機器筐体の光ケーブル収容部を提供しようとするものである。
【課題を解決するための手段】
【０００８】
上記の課題を解決するために本発明に係る光ケーブル機器筐体の光ケーブル収容部は、光ケーブルをループ状に巻装して収容可能な光ケーブル収容部を備えた光ケーブル機器筐体において、前記収容部の光ケーブル巻装用ガイド溝部の途中の少なくとも一箇所に、光ケーブルを繋ぐ接続具または光ケーブルに接続されるフィルタなどの付属部材を挟持可能に、直線状に延びるガイド溝部の片方のガイド壁よりバネ部材を相対向するガイド壁に向けて同ガイド壁に対し所定の間隔が空くように設けるとともに、前記バネ部材との間で前記間隔が上側から下側に向けて段階的に狭まるように相対向する前記ガイド壁に対しリブを突設し、前記バネ部材は、前記ガイド溝部の前後方向に沿って上方より見て略くの字状に片方の前記ガイド壁から一体に延設される一対の可撓性を有する樹脂製バネ片からなり、前後の前記各バネ片の先端部との間で間隔が上側から下側に向けて段階的に狭まるように相対向する前記ガイド壁に対しリブをそれぞれ直交させて突設するとともに、前記バネ片に相対向するガイド壁が、前後方向に沿って断続的に立設された一対の板状壁からなり、前後の板状壁間に少なくとも１本の指が入る空所を設けていることを特徴とする。
【発明の効果】
【００１１】
本発明に係る光ケーブル機器筐体の光ケーブル収容部は、上記の構成からなるから、次のような優れた効果がある。
【００１２】
・請求項１の発明によれば、片方のガイド壁よりバネ部材を相対向するガイド壁に向けて同ガイド壁に対し所定の間隔が空くように設けるとともに、前記バネ部材との間で前記間隔が上側から下側に向けて段階的に狭まるように相対向する前記ガイド壁に対しリブを突設したので、光ケーブルに介設されるフィルタやメカニカルスプライスなどの付属部材を一方からバネ部材で他方のガイド壁に対し全体的に押し付けて挟持するから、付属部材の大きさや形状の変化があっても十分に対応できる。また、同様の理由で、バネ部材と対向するガイド壁に突設するリブは、最大間隔が例えば５ｍｍで、直径３ｍｍの付属部材を挟持させるには、２ｍｍの突出量で済むことになる。
【００１３】
・また、バネ部材が片方のガイド壁と一体成形による略くの字状の樹脂製バネ片からなるので、光ケーブルに介設されるフィルタやメカニカルスプライスなどの付属部材を前後（長手方向）に間隔をあけて２箇所で押圧支持でき、同付属部材を一直線状に保持できるから、長期間安定して確実に保持し得る。しかも、バネ片の先端部との間にリブを上側から下側にかけて段階的に間隔が狭まるように突設したので、非常に広範囲で付属部材の大きさや形状の変更に対応できるとともに、大きさや形状の異なる複数種類の付属部材を挟持して確実に保持できる。
【００１４】
・さらに、フィルタやメカニカルスプライスなどの付属部材を、バネ片の前後両側先端部とガイド壁あるいはリブ間に挿入して挟持したりあるいは挟持した状態から引き抜いて取り外したりする際に、例えば親指と人差し指で上下から挟み持った状態で、前記空所を利用して押し込んだり引き上げたりできるので、スムーズで簡単に且つ確実に作業を遂行し得る。この結果、部材の着脱の際に付属部材やその前後の光ケーブルに無理な力を作用させることもなくなるので、付属部材や光ケーブルを損傷させることがない。
【発明を実施するための最良の形態】
【００１５】
以下、本発明の光ケーブル機器筐体の光ケーブル収容部について実施の形態を挙げて図面に基づき説明する。
【００１６】
図１は本発明の実施例に係る光ケーブル収容部を備えた光ケーブル機器筐体を示す外観の斜視図で、蓋を開放した状態を表す。図２・図３はそれぞれ図１の光ケーブル機器筐体の一方の光ケーブル収容部を示す斜視図と平面図であり、図４（ａ）は図２において本発明の要部を円で囲んで示し、図４（ｂ）はその拡大図を示す斜視図である。図５（ａ）は図４の要部を拡大して表した広い幅（太い）のフィルタを挟着して保持した状態を示す平面図、図５（ｂ）は狭い幅（細い）のフィルタを挟着して保持した状態を示す平面図である。図６（ａ）は図５（ａ）の正面方向矢視図、図６（ｂ）は図５（ｂ）の正面方向矢視図、図６（ｃ）は別の実施例を示す正面方向矢視図である。
【００１７】
図１に示すように、光ケーブル機器筐体１は本実施例では光受信機の筐体からなり、筐体１は樹脂製で一面（上面）１ａが開放され、この開放面１ａ側に開閉自在な樹脂製の蓋２が備えられている。この筐体１は、蓋２の両側ヒンジ部２ａを上側に向けてビルやマンションなどの光ケーブルの引き込み口や光信号変換後のＴＶ出力信号用ケーブルの引き込み口近くの建物壁面に取付片１ｆを用いて固定用ねじで取り付けられる。
【００１８】
図１に示すように、筐体１の開放面１ａには、浅くて上端が開放されたトレイ状で樹脂製の光ケーブル収容部３の左右一対がそれぞれ取り外し可能に嵌め込まれている。一方、右側の光ケーブル収容部３下方の筐体１内には、本例の場合、図示を省略するが、光信号を電気信号に変換するＯ／Ｅ変換器、変換された電気信号を増幅する増幅器が機器ユニット２１として、左側の光ケーブル収容部３下方の筐体１内には、光信号を増幅する増幅器が他の１の機器ユニット２２としてそれぞれ収容されている。筐体１の前面１ｂ（取付状態で下面に位置する側）には、ＴＶ電気信号の出力端子２１ａの孔部１ｃと、出力端子から出力されるＴＶ電気信号をモニターするためのモニター端子２１ｂの孔部１ｄとが間隔をあけて穿設されている。また、蓋２の開放端側枠２ｂの前端部に係止板４が直角方向に突設され、この係止板４に対応して係止される係止片４ａが筐体１の両側面上端縁に一体に形成されている。さらに、蓋２の開放端側枠２ｂの両側部に留め具５がそれぞれ直角方向に突設され、筐体１の前面１ｂで留め具５に対応する位置にそのねじ孔部５ａがそれぞれ一体に形成されている。
【００１９】
図２・図３に示すように左右の各光ケーブル収容部３は全周囲にわたり枠壁３１・３２が立設され、図２に示すように光ケーブルの出入り口３３（前面側右端部）および増幅した光ケーブルの出入口３３（前面側中央部）に位置する枠壁３１の一部がそれぞれ切り欠かれて開口されている。この切り欠き開口３１ａに一致するように、筐体１の前面１ｂにも開口（図示せず）が設けられている。なお、図１中の符号１ｆは筐体１の壁面取付片で止めねじ用貫通孔を備えているが、この取付片１ｆは下端縁の両側部のほか、上端縁の中央部に設けられている。
【００２０】
図２および図３に示すように、各光ケーブル収容部３は上方より見て長方形状の枠体で、光ケーブルの出入り口３３は前部の左右両側にそれぞれ設けられている。本例では光ケーブルを挟持可能な弾性体ホルダー７（図１）の装着部３３ａに形成され、この装着部３３ａは側方の枠壁３２とこれに対向しかつ平行に立設された内側の枠壁３３ｂとで構成されている。弾性体ホルダー７は全体がゴムやエラストマーなどの弾力性を具備した材料で成形されており、光ケーブル挿入溝（図示せず）が等間隔で平行に貫通して形成され、各挿入溝の上面の中心位置に切り込みが長手方向に入れられている。
【００２１】
光ケーブル収容部３の出入り口３３には、弾性体ホルダー７の切欠き部に対応する２本のリブ８と弾性体ホルダー７の両側の縦溝に対応するリブ９とが所定の間隔をあけて立設されている。各リブ８・９の相対向する面（挟持面）は、基端から先端側の切欠き開口３１ａに向けて漸次間隔が狭くなるテーパー面にそれぞれ形成されている。さらに、各リブ８・９の上端には、長方形板状の抜止め片が一体に形成されている。
【００２２】
光ケーブル収容部３の出入り口３３と反対側の背面寄り隅角部には、光ケーブル内に光ファイバーと平行に入れたサポートメンバーを巻き付けて固定するための固定用ねじのねじ孔部１２が設けられている。
【００２３】
また、各光ケーブル収容部３はその中央部分に長円形状の開口部３ａが設けられており、開口部３ａ周囲で４隅の円弧状周縁部に直線状部と円弧状部との組み合わせからなるガイド壁３５が基板３ｂ上に立設され、前部左側円弧部と後部右側円弧部には半径方向に間隔をあけて二重に、後部左側円弧部には半径方向に間隔をあけて三重にそれぞれガイド壁３５が基板３ｂ上に立設されている。これらのガイド壁３５で構成されるガイド溝部（またはガイド部）３４に沿って出入口３３から内部に引き込まれ、あるいは内部から送り出される光ケーブルの余長部分をループ状に巻装するために通す経路（ガイド溝部）３４が形成されている。すなわち、図２・図３に示すように、本例では、外周側から内周側にかけて順に複数のガイド壁３５に沿って光ケーブルを半径方向に一定間隔をあけてループ状に巻き付けることにより、余長部分を収容することができる。なお、ガイド壁３５の上端には、長手方向に間隔をあけて光ケーブルの抜け止め片３５ａが一体に形成されている。
【００２４】
さらに、開口部３ａ周囲の両側の直線状縁部には、前後の円弧状コーナのガイド壁３５・３５間を断続的に接続する一直線状ガイド壁３６を基板３ｂ上に立設している。図２・図３に示すように左側の直線状部では、開口部３ａ内へ張り出して部分基板３ｃが基板３ｂより１段高い位置に形成され、この部分基板３ｃの内側直線部には前後一対の一直線状ガイド壁３７・３７が前後方向に間隔をあけて立設され、ガイド壁３７・３７間に２本〜３本の指が入る空所（空間部）３７ｃが設けられている。この空所３７ｃはフィルタの着脱を確実に且つ容易にするためのものである。また、左右の連続する一直線状ガイド壁３６の外側には、前後一対の一直線状ガイド壁３８・３８が前後方向に間隔をあけて基板３ｂ上に立設されている。さらに、図の左側の一直線状ガイド壁３６の内側と外側に上方より見て略くの字状のバネ片４１・４２が相対向する前後のガイド壁３７またはガイド壁３８へ向けて漸次間隔（ガイド溝部３４の溝幅）が狭まるように一体に延設され、また図の右側の一直線状ガイド壁３５の外側にも上方より見て略くの字状のバネ片４１が相対向する前後のガイド壁３７・３７へ向け漸次間隔（ガイド溝部３４の溝幅）が狭まるように一体に延設されている。
【００２５】
図４〜図６に示すように、一直線状ガイド壁３６の略くの字状バネ片４１の先端部と各ガイド壁３７との間において、ガイド壁３７の下部で基板３ｃとの隅角部に上端隅角部を内側下向きに傾斜させた板状のリブ３７ａを、ガイド壁３７に対し直交させ且つバネ片４１の先端部に向けて一体に突設している。これにより、本発明の要部である、実施例に係るフィルタの挟持保持構造３０が構成される。本例の挟持保持構造３０の場合、一辺が５．５ｍｍ角筒形のフィルタＸと同３．０ｍｍ角筒形のフィルタＹとを挟持して保持可能に構成している。すなわち、フィルタＸは、図６（ａ）のようにリブ３７ａ上でバネ片４１の両側先端部と前後のガイド壁３７との間で、バネ片４１の先端部でガイド壁３７に押し付けるように挟持して保持する一方、フィルタＹは図６（ｂ）のように基板３ｃ上でバネ片４１の両側先端部と前後のリブ３７ａとの間で、バネ片４１の先端部でリブ３７ａに押し付けるように挟持して保持する。いずれの場合にも、バネ片４１の両側先端部でバネ片４１の付勢力によりフィルタＸ（Ｙ）の前後部の２箇所を押圧・挟持するので、一直線状に保って保持できる。
【００２６】
図６（ｃ）は他の実施例に係るフィルタの挟持保持構造３０’を示すもので、一直線状ガイド壁３６の略くの字状バネ片４１の先端部と各ガイド壁３７との間において、ガイド壁３７の高さ方向の中間部から下端部にかけ上端隅角部と中間部とをそれぞれ内側下向きに傾斜させて角部を除去した板状のリブ３７ｂを、ガイド壁３７に対し直交させ且つバネ片４１の先端部に向けて一体に突設している。本例の場合、前後の各ガイド壁３７の上側から下側にかけてバネ片４１の先端部との間隔が段階的に狭くなるように構成されている。したがって、例えば一辺が７．０ｍｍ角筒形（または直径７ｍｍ円筒形）のフィルタ〜同２．０ｍｍ角筒形（または直径２ｍｍ円筒形）のフィルタを挟持可能で、さらに４ｍｍ角筒形のメカニカルスプライスや直径２ｍｍの熱収縮性保護チューブなども挟持可能である。なお、図４〜図６に示すリブ３７ａ・３７ｂを設けた第１・第２実施例の挟持保持構造３０・３０’は、図２・図３に示すバネ片４２先端部と一対の一直線状ガイド壁３８・３８との間にも設けることができるのは言うまでもない。
【００２７】
また図１〜図３に示すように、各図の右側の直線状部では、長方形状の基板部分３ｄが基板３ｂより開口部３ａ内へ張り出して形成され、この部分基板３ｄ上に左右一対の板状ガイド壁４３・４４が幅方向に間隔をあけて立設されている。これにより、ガイド壁４３とガイド壁４４との間およびガイド壁４４と一直線状ガイド壁３６との間が、それぞれ光中継用アダプタ５０（図１）を両側から挟持して支持可能な支持部４５・４６に構成されている。図示は省略するが、光中継用アダプタ５０を介して入力される光信号は、機器ユニット２１内のＯ／Ｅ変換器で電気信号に変換され、変換された電気信号が増幅されて出力端子およびモニター端子から出力される。
【００２８】
ところで、図１の右側の光ケーブル収容部３とその下方の筐体１内の機器ユニット２１について例示したが、図１の左側の光ケーブル収容部３についても右側の光ケーブル収容部３と同一の構造にしている。ただし、左側の光ケーブル収容部３の下方の筐体１内に収容される機器ユニット２２は、本例の場合、光ケーブルで送信される光信号を増幅する増幅器を内蔵しており、光ケーブルにより光中継用アダプタ５０を介して入力される光信号を左側の機器ユニット２１内の増幅器で増幅し、左側の光ケーブル収容部３の光ケーブル出入口３３から取り出される光ケーブルにより再び遠方へ送信することができる。なお、上記の光ケーブルの余長部分の巻き付け構造（ガイド溝部３４）については、上記したフィルタやメカニカルスプライスのような接続具などの付属部材の挟持保持構造３０・３０’を除き公知の構造であり、とくに限定するものではないので、詳しい説明は省略する。
【００２９】
以上のようにして、本発明の実施例にかかる光受信機の筐体１が構成されるが、続いて使用態様について説明する。
【００３０】
図示は省略するが、光ケーブルにはサポートメンバー入り光ケーブルを使用するもので、通常、筐体１を建物の壁面に取り付けた状態で、光ケーブル収容部３を取り外して光ケーブルの処理が行われる。弾性体ホルダー７は収容部３の出入り口３３に装着された状態で、光ケーブルを切り込みから挿入溝内に挿入する。このとき、各挿入溝はリブ８・９間で挟持されていない位置にある。そして、各挿入溝に光ケーブルがそれぞれ挿入された状態で、弾性体ホルダー７を下向きにスライドさせることにより、対向するリブ８・９間の下向きに間隔が狭まった挟持面にてホルダー７の挿入溝（上端開放溝）が挟持され、挿入溝内の光ケーブルがホルダー７ごと締め付けられて固定される。
【００３１】
光ケーブルは、図３に示すようにあらかじめカバーチューブから光ファイバーとサポートメンバーとを剥き出し、出入り口３３の弾性体ホルダー７に光ケーブルを固定した状態で、サポートメンバーを適当な長さで切断した後、ネジ孔部１２の固定用ねじにサポートメンバーの端部を巻き付け、固定用ねじを螺着部に螺合して締付方向に回転させることにより、サポートメンバーを緊張状態に締め付ける。そして、光ケーブルの途中にフィルタＸ（Ｙ）を介設したり、光ケーブルを繋ぐメカニカルスプライスなどの接続具（図示せず）を介設している場合には、それらの付属部材（フィルタＸなど）をガイド溝部３４の直線部に設けた挟持保持構造３０（３０’）で挟持して保持する。この場合、上記したとおり、付属部材の大きさ（幅）に適合する箇所（バネ片４１とガイド壁３７またはリブ３７ａ・３７ａとの間）で挟持させ保持する。また、たとえ付属部材の形状や寸法が既存の製品と変更になった場合でもバネ片４１の先端部で、ガイド壁３７およびリブ３７ａ・３７ａを含めて全体を押圧するので、上下方向の位置を変えることによって対応できることがある。しかし、上下方向のいずれの位置でも対応できない場合には、リブ３７ａ・３７ａの突出量を変更して対応することになるが、片側はバネ片４１であるため、このバネ片４１は比較的大きく変形して広範囲に対応する。
【００３２】
こうして光ケーブルは収容部３の一側方（右側）の枠壁３２に沿って固定されるので、この状態で、光ファイバーの余長部分を巻き付けて収容したり、光ファイバーを収容部３の開口部３ａから筐体１側へ引き込み，Ｏ／Ｅ変換器などの電子機器に接続したりする。なお、光ケーブルの処理が済み、収容部３内に収容した状態で、筐体１の開放面１ａ内に収容部３を嵌め込む。そして、蓋２を閉じた後に留め具５を締め付ければ、作業が終了する。
【００３３】
以上に本発明の光ケーブル収容部の実施例について説明したが、本発明の光ケーブル機器筐体は次のように実施することができる。
【００３４】
・上記実施例では、バネ部材を略くの字状のバネ片４１とし、ガイド壁３６と一体構造にしたが、バネ片４１をガイド壁３６と別体に形成してガイド壁３６に取り外し可能に嵌着することができる。
【００３５】
・バネ部材を弾力性に富む合成ゴムや非金属製の板バネ構造やコイルバネ構造にし、前後のガイド壁３７・３７に対向するように反対側のガイド壁３６に装着することができる。
【００３６】
・バネ部材を金属製の板バネやコイルバネの、フィルタとの当接部に、樹脂製の押圧板を取り付けて構成してもよい。
【００３７】
・バネ片４１の先端部と対向するガイド壁３７を前後に分離し、空所３７ｃを形成したが、前後のガイド壁３７・３７を一連に連続するガイド壁に形成することができる。
【００３８】
・板状のリブ３７ａ・３７ｂをガイド壁３７と別体にし、あらかじめ突出長さの異なる複数種類の板状リブを形成し、例えばガイド壁３７に嵌合溝を設けてリブ３７ａ・３７ｂを着脱可能にして交換できるようにしてもよい。このようにすれば、突出長さの異なる複数種類の板状リブをあらかじめ準備しておくことで、付属部材の大きさや形状の変化に対応して適合する板状リブを装着することができる。
【図面の簡単な説明】
【００３９】
【図１】本発明の実施例に係る光ケーブル収容部を備えた光ケーブル機器筐体を示す外観の斜視図で、蓋を開放した状態を表す。
【図２】図１の光ケーブル機器筐体の一方の光ケーブル収容部を示す斜視図である。
【図３】図１の光ケーブル機器筐体の一方の光ケーブル収容部を示す平面図である。
【図４】図４（ａ）は図２とは方向を変えた斜視図で本発明の要部を円で囲て示し、図４（ｂ）はその拡大図を示す斜視図である。
【図５】図５（ａ）は図３の要部を拡大して表した、広い幅（太い）のフィルタを挟着して保持した状態を示す平面図、図５（ｂ）は狭い幅（細い）のフィルタを挟着して保持した状態を示す平面図である。
【図６】図６（ａ）は図５（ａ）の正面方向矢視図、図６（ｂ）は図５（ｂ）の正面方向矢視図、図６（ｃ）は別の実施例を示す正面方向矢視図である。
【符号の説明】
【００４０】
１  光ケーブル機器筐体
２  蓋
３  光ケーブル収容部
３ａ  開口部
３ｂ  基板
３ｃ  部分基板
４  係止板
５  留め具
７  弾性体ホルダー
８・９  リブ
１２  固定用ねじ孔
３１・３２  枠壁
３３  光ケーブルの出入り口
３０・３０’挟持保持構造
３４  経路（ガイド溝部）
３５  ガイド壁
３６  一直線状ガイド壁
３７  一直線状ガイド壁
３７ａ・３７ｂリブ
３７ｃ空所（空間部）
３８  一直線状ガイド壁
４１  バネ片（バネ部材）
４２  バネ片（バネ部材）
４３・４４  板状ガイド壁
４５・４６  支持部
Ｘ・Ｙ  フィルタ
【図１】
0004889592.tif 000002
【図２】
0004889592.tif 000003
【図３】
0004889592.tif 000004
【図４】
0004889592.tif 000005
【図５】
0004889592.tif 000006
【図６】
0004889592.tif 000007